(57)【特許請求の範囲】
【請求項１】
本機前方にフィーダハウスを介し刈取部を昇降自在に装備し、クローラによって走行する普通形コンバインにおいて、
前記フィーダハウスに、刈取穀稈を複数の扱胴で脱穀する脱穀部が連設され、
前記フィーダハウス上方の本機左右略中央に運転席が配設され、かつ前記フィーダハウスの左右外側に乗降用ステップが配備され、
前記運転席の左前方に主変速レバーの操作コラムが配設されると共に、前記主変速レバー上端の操作部が後方に屈曲され、
前記主変速レバーの操作部に刈取部を昇降操作する刈取昇降スイッチが設けられ、かつ
計器パネルが前記運転席の右前方に配設されると共に、前記運転席から刈取部前側の目視可能な目視空間域が、前記計器パネルの下方に形成されたことを特徴とする、普通形コンバイン。
【請求項２】
計器パネルを取付角度及び取付高さ調節自在に配設したことを特徴とする請求項１記載の普通形コンバイン。
【発明の詳細な説明】
【０００１】
【発明の属する技術分野】
刈取部で刈取った稲、麦、豆類など穀物をフィーダハウスを介し脱穀部に全量投入して脱穀処理する普通形コンバインに関する。
【０００２】
【発明が解決しようとする課題】
従来のコンバインにあっては、主変速レバー・刈取クラッチレバー・脱穀クラッチレバーなど各種操作レバー系を有する操作コラムが運転台上の運転席の側方に配設されているため、運転台上で作業者の動き回れる作業スペースが狭く制約を受けるという不便さがあるばかりでなく、操作コラムの反対側方向でしか乗降が行えないという不便さがあった。
【０００３】
また、刈取作業中にあっては通常作業者は前傾姿勢となるため、主変速レバーなどの操作コラムが運転席側方にある場合操作が行い難いという不便さがあった。
【０００４】
さらに、計器パネルを運転席の前方向位置に配置させた場合、計器パネルより下側は前方視界が遮られて分草板や刈刃など刈取部前側の作業状況の確認が行えないという不都合があった。
【０００５】
またさらに、運転席を有する運転操作部と脱穀部とは、通常前後或いは左右方向などに並設した構成となっているため、機体が大型且つ重量化する不都合があった。
【０００６】
【課題を解決するための手段】
したがって本発明は、本機前方にフィーダハウスを介し刈取部を昇降自在に装備する普通形コンバインにおいて、フィーダハウス上方の本機左右略中央に運転席を配設して、本機構成の簡素化を図ると共に、運転席に対する本機左右両側よりの作業者の容易な乗降を可能とさせて作業性を向上させるものである。
【０００７】
また、フィーダハウスの左右外側に乗降用ステップを配備させて、フィーダハウス左右両側の余剰空間にコンパクトにステップを配設可能とさせて、本機構成の簡素化を図るものである。
【０００８】
さらに、主変速レバーの操作コラムを運転席の左前方に配設すると共に、主変速レバー上端の操作部を後方に屈曲させて、運転席位置で前傾姿勢の作業者に対して、主変速レバーの容易にして確実な操作を可能とさせて、この操作性を向上させるものである。
【０００９】
またさらに、刈取部を昇降操作する刈取昇降スイッチを主変速レバーの操作部に設けて、主変速レバーを操作しながらの刈取昇降スイッチによる刈取部の確実な昇降操作を可能とさせて、刈取作業性を向上させるものである。
【００１０】
また、計器パネルを運転席の右前方に配設すると共に、運転席から刈取部前側の目視可能な目視空間域を、計器パネルの下側部に形成して、運転席の右前方に計器パネルを設置した場合でも、運転席から分草板や刈刃など刈取部前側の作業状況を常に正確に確認しながらの運転作業を可能とさせて作業性を向上させるものである。
【００１１】
さらに、計器パネルを取付角度及び取付高さ調節自在に配設して、運転席の作業者に適正に対応させた位置に計器パネルを常に配置させて、計器パネルで確認しながらの正確な刈取作業を可能とさせるものである。
【００１２】
またさらに、運転席の後部下方に脱穀部の扱胴を配備させて、フィーダハウスと扱胴の穀物受継部上方に運転席を構成コンパクトに配備させて、機体の簡素化を図るものである。
【００１３】
【発明の実施の形態】
以下、本発明の実施例を図面に基づいて詳述する。図１はコンバインの全体側面図、図２は同平面図であり、図中（１）は走行クローラ（２）をトラックフレーム（３）に装備する機台、（４）は機体の進行方向に対し軸芯を直交させる大径及び小径２つのスクリュ形第１及び第２扱胴（５）（６）や選別部である揺動選別盤（７）などを備える脱穀部、（８）は脱穀部（４）の後部上方に配備して揚穀筒（９）を介して取出す脱穀部（４）の穀粒を貯留する穀物タンク、（１０）は穀物タンク（８）内の穀粒を取出す上部搬出オーガ、（１１）は穀物タンク（８）の後方に配備してエンジン（１２）を内設するエンジンルーム、（１３）は運転席（１４）及び操向ハンドル（１５）などを運転台（１６）に備えて脱穀部（４）の前部上方に配設する運転操作部、（１７）は運転台（１６）の左右両側に配備する左右の作業者乗降用ステップ、（１８）は脱穀部（４）の下部前方に油圧昇降シリンダ（１９）を介し昇降可能に装備する刈取部である。
【００１４】
そして、前記刈取部（１８）は、未刈り穀稈を取入れる穀物刈取ヘッダー（２０）と、該ヘッダー（２０）の後部略中央に連結させて刈取穀稈を脱穀部（４）に送給するフィーダハウス（２１）によって構成すると共に、未刈り穀稈掻込み用リール（２２）と、往復駆動型刈刃（２３）と、穀稈掻込オーが（２４）とを前記穀物ヘッダー（２０）に備え、前記フィーダハウス（２１）を運転台（１６）の下方で運転台（１６）中央の運転席（１４）より左側に偏位して配設させ、前記ヘッダー（２０）に取込まれる刈取穀稈をフィーダハウス（２１）に内設する供給チェンコンベア（２５）を介し脱穀部（４）の左側に送り込んで脱穀処理するように構成している。
【００１５】
図４乃至図６に示す如く、前記脱穀部（４）の前部上方に左右幅の広い扱室（２６）を形成し、該扱室（２６）の前後に同一軸芯高さで左右幅略一杯に大径及び小径のスクリュ形第１及び第２扱胴（５）（６）の扱胴軸（２７）（２８）を進行方向に対し直交させて支持させ、前記フィーダハウス（２１）からの刈取穀稈を扱室（２６）左側の扱口（２９）より扱室（２６）内に全量投入するように構成している。
【００１６】
また、前記第１及び第２扱胴（５）（６）の下側に第１及び第２受網（３０）（３１）を張設すると共に、これら受網（３０）（３１）の下方に揺動選別盤（７）を備えるもので、第１受網（３０）の下方に位置させる第１フィードパン（３２）と、該フィードパン（３２）の後端に設ける篩い線（３３）と、篩い線（３３）下方に設ける第２フィードパン（３４）と、第２フィードパン（３４）後方に連設するチャフシーブ（３５）と、チャフシーブ（３５）の前部下方に張設するグレンシーブ（３６）と、一番及び二番流穀板（３７）（３８）とを揺動選別盤（７）に備え、前側を前揺動アーム（３９）と駆動アーム（４０）に後側を後揺動アーム（４１）に連結支持させて、前後方向に選別盤（７）を揺動駆動するように構成している。
【００１７】
さらに、前記第１フィードパン（３２）の下方に配設してチャフシーブ（３５）及びグレンシーブ（３６）方向に選別風を送給する唐箕（４２）と、グレンシーブ（３６）からの穀粒を受取って揚穀筒（９）に送出する一番樋（４３）及び一番コンベア（４４）と、二番流穀板（４１）からの還元物を二番還元装置である二番還元筒（４５）に送出する二番樋（４６）及び二番コンベア（４７）と、揺動選別盤（７）の後端を臨ませる排稈口である三番口（４８）とを備え、一番樋（４３）の穀粒をタンク（８）に、また二番樋（４６）の還元物を第１フィードパン（３２）に送出するように構成している。
【００１８】
また、脱穀部（４）を構成する左右側板（４ａ）（４ｂ）間に穀物タンク（８）やエンジン（１１）を形成するもので、穀物タンク（８）やエンジン（１１）の左右側壁を脱穀部（４）の外枠を構成する左右側板（４ａ）（４ｂ）で兼用させて、脱穀部（４）・穀物タンク・エンジンルームなどこれら全体としての支持強度などを向上させるように構成している。
【００１９】
そして図７乃至図９に示す如く、前記左側板（４ａ）外側に突出させる第１及び第２扱胴軸（２７）（２８）間をプーリ（４９）（５０）及びベルト（５１）を介し連動連結させ、エンジン（１２）の出力軸（５２）と第２扱胴軸（２８）間に配設するカウンタ軸（５３）に、プーリ（５４）（５５）及びベルト（５６）を介し出力軸（５２）を左側板（４ａ）外側で連動連結させると共に、前記第２扱胴軸（２８）にプーリ（５７）（５８）及びベルト（５９）を介しカウンタ軸（５３）を連動連結させて、第１及び第２扱胴（５）（６）を図４に示す如く側面視反時計方向（同一方向）に回転させるように構成している。
【００２０】
また、前記揺動選別盤（７）の揺動駆動軸（６０）に第１扱胴軸（２７）をプーリ（６１）（６２）及びベルト（６３）を介し、また前記供給チェンコンベア（２５）の駆動軸（６４）にプーリ（６５）（６６）及びベルト（６６）を介し第１扱胴軸（２７）をそれぞれ左側板（４ａ）外側で連動連結して、選別盤（７）の駆動と、コンベア（２５）及びコンベア（２５）を介する刈取部（１８）の駆動を行うように構成している。
【００２１】
また、前記右側板（４ｂ）外側に突出させる第２扱胴軸（２８）に、一番及び二番コンベア（４４）（４７）のコンベア軸（４４ａ）（４７ａ）間に配設するカウンタ軸（６６）をプーリ（６７）（６８）及びベルト（６９）を介し連動連結させ、前記唐箕（４２）の唐箕駆動軸（７０）にプーリ（７１）（７２）及びベルト（７３）を介しカウンタ軸（６４）を連動連結させると共に、前記コンベア軸（４４ａ）（４７ａ）にプーリ（７４）（７５）（７６）及びベルト（７７）を介しカウンタ軸（６４）を連動連結させて、右側板（４ｂ）の外側で唐箕（４２）と一番及び二番コンベア（４４）（４７）の各駆動を行うように構成している。
【００２２】
さらに、前記揺動選別盤（７）の後端下方に前記走行クローラ（２）の走行駆動部であるミッションケース（７８）を設け、該ミッションケース（７８）の入力軸（７９）にプーリ（８０）（８１）及びベルト（８２）を介し、また前記穀物タンク（８）の底部排出オーガ（８３）にプーリ（８４）（８５）及びベルト（８６）を介しエンジン（１２）の出力軸（５２）を左側板（４ａ）外側で連動連結させて走行と穀物タンク（８）内の穀粒排出を行うように構成している。なお（８７）はテンション式脱穀クラッチ、（８８）はテンション式刈取クラッチである。
【００２３】
そして前記一番及び二番コンベア（４４）（４７）に連動連結する揚穀筒（９）及び二番還元筒（４５）を左側板（４ａ）外側に配設すると共に、前記底部排出オーガ（８３）と上部排出オーガ（１０）間に介設する縦排出オーガ（８９）を右側板（４ａ）外側に配設して、機体の左右バランスの安定と駆動系の簡素化を図るように構成している。
【００２４】
図１０乃至図１３にも示す如く、前記第１及び第２扱胴（５）（６）は選別盤（７）を内設する脱穀部（４）下側の左右側板（４ａ）（４ｂ）間より脱穀巾の広い脱穀部（４）上側の左右側板（４ａ）（４ｃ）間に内設するもので、左右側板（４ａ）（４ｃ）間巾と略等しい長さの円筒形胴部（９０）（９１）に螺旋方向の異なる螺旋羽根（９２）（９３）を巻装し、胴部（９０）（９１）の右端及び左端の羽根（９２）（９３）非形成部に、円周方向に等間隔（θ＝１２０゜）に３枚の板状排稈羽根（９４）（９５）を取付けて、第１扱胴（５）では扱口（２９）から投入される穀稈を右方向終端の排稈口である連通樋（９６）に横送りすると共に、連通樋（９６）で排稈羽根（９４）によって第１扱胴（５）からの排稈を第２扱胴（６）に受継ぎ、第２扱胴（６）では受継いだ排稈を左方向に横送りして、左横送り終端の排稈口（９７）より後方に排稈を排出させるように構成している。なお脱穀部（４）上側の左右側板（４ａ）（４ｃ）間巾は、下側の左右側板（４ａ）（４ｂ）より連通樋（９６）の巾分大とさせたものである。
【００２５】
また、前記螺旋羽根（９２）（９３）の非搬送面側で円周方向に略等間隔（第１扱胴（５）α＝４５゜、第２扱胴（６）α＝６０゜）に先端が山形状の扱歯（９８）（９９）をボルト（１００）を介し取外し自在に固定させるもので、扱歯（９８）（９９）の先端山形部を左右非対称の立上り角度の緩やかな緩扱歯面（９８ａ）（９９ａ）と、立上り角度の急な急扱歯面（９８ｂ）（９９ｂ）に形成して、前記扱歯（９８）（９９）を表裏逆取付けすることによって脱穀性能を小或いは大に調節可能とさせるように構成している。
【００２６】
図１１、図１２にも示す如く、前記受網（３０）（３１）は略半円状の中央で分割して、第１扱胴（５）と第２扱胴（６）の隙間を介し上方よりこれら網（５）（６）の着脱を容易に可能とさせるもので、左右側板（４ａ）（４ｂ）間を連結する前後横フレーム（１０１ａ）（１０１ｂ）の補強部材（１０２ａ）（１０２ｂ）の下側当面に、第１及び第２受網（３０）（３１）の前端及び後端の網枠（１０３ａ）（１０４ａ）上側面を、補強部材（１０２ａ）（１０２ｂ）に固定する位置制御部材である位置規制ピン（１０５）（１０６）を介し連結させると共に、第１及び第２扱胴（５）（６）間の中央仕切フレーム（１０１ｃ）上に第１及び第２受網（３０）（３１）後端及び前端の略門形の網枠（１０３ｂ）（１０４ｂ）端面を当接支持させるように構成している。前記網枠（１０３ｂ）（１０４ｂ）は受網（３０）（３１）の左右巾一杯に横フレーム（１０１ｃ）上に支持させて、受網（３０）（３１）が変形するなどの不都合を防止している。
【００２７】
また前記第１及び第２受網（３０）（３１）分割側の分割端面網枠（１０３ｃ）（１０３ｄ）及び（１０４ｃ）（１０４ｄ）は、網枠（１０３ｄ）（１０４ｃ）に固定する係合ピン（１０７）（１０８）を介し係脱自在に連結させて、第１及び第２受網（３０）（３１）の容易な２分割或いは一体結合を図って、これら受網（３０）（３１）の第１及び第２扱胴（５）（６）間の隙間を介する上方よりの着脱作業を容易とさせるように構成している。
【００２８】
前記受網（３０）（３１）は左右側板（４ａ）（４ｂ）巾間に張設すると共に、右側板（４ｂ）より外側に一定巾を有して底面が目無しの連通樋（９６）を設けるもので、第１受網（３０）の接線方向で第２扱胴軸（２８）より下方向に向かう角度に連通樋（９６）の平滑樋体（９６ａ）を傾斜させて、第１扱胴（５）から第２扱胴（６）への排稈の受継ぎを良好とさせるように構成している。
【００２９】
また前記第２受網（３１）の左端の一部を開口して排稈口（９７）を開成すると共に、該排稈口（９７）に後方に下り傾斜の排稈樋（１０９）を設けて、該排稈樋（１０９）を受網（３１）の一部として構成して該受網（３１）の補強する一方、受網（３１）の着脱時には排稈樋（１０９）の同時着脱を行うように構成している。
【００３０】
さらに前記第２受網（３１）の枠体（１０４）後方部には、第２扱胴（６）の遠心力で受網（３１）を通し後方に飛散する穀粒を下方に落下案内する飛散防止ガイド（１１０）を設けるもので、遠心力で後方に飛散する穀粒を直接的に機外に放出することなくガイド（１１０）に衝突させ選別盤（７）上に落下させて、ロスのない効率良好な穀粒の回収を図ると共に、第２受網（３１）の補強部材を防止ガイド（１１０）として有効に活用するように構成している。
【００３１】
図１０に示す如く、前記第１及び第２扱胴（５）（６）の螺旋羽根（９２）（９３）の終端は連通樋（９６）及び排稈口（９７）より一定寸法（Ａ）（Ｂ）内側に臨ませ、連通樋（９６）と排稈口（９７）とに羽根（９２）（９３）をラップさせて、排稈の受継ぎや排出を確実に行わせるように構成している。
【００３２】
図１４、図１５に示す如く、連通樋（９６）に対し、第１受網（３０）を一定寸法（Ｃ）高く、また第２受網（３１）を一定寸法（Ｅ）低く設けると共に、第２扱胴（６）の入口部となる連通樋（９６）部の螺旋羽根（９３）の直径（Ｄ２）を他部の螺旋羽根（９３）の直径（Ｄ１）より小（Ｄ１＞Ｄ２）に形成して、稈の刺りなど解消させたこれら扱胴（５）（６）での穀稈の流れのスムーズな脱穀作業を可能とさせるように構成している。
【００３３】
また前記第１及び第２扱胴（５）（６）の送り始端となる左端及び右端と左右側板（４ａ）（４ｃ）間に、胴部（９０）（９１）端部を外側より覆う胴部（９０）（９１）より大径の皿形の稈巻付防止板（１１１）（１１２）を左右側板（４ａ）（４ｃ）に固設すると共に、第１及び第２扱胴（５）（６）の送り終端となる右端及び左端と左右側板（４ａ）（４ｃ）間に、胴部（９０）（９１）端部の内径側に外径部を投入させる胴部（９０）（９１）より小径の鍔付皿形の稈巻付防止板（１１３）（１１４）を左右側板（４ａ）（４ｃ）に固設して、左右側板（４ａ）（４ｃ）と第１及び第２扱胴（５）（６）の隙間に穀粒のささり込みのない良好な脱穀処理を行うように構成している。
【００３４】
図１６に示す如く、前記扱口（２９）に設ける穀稈入口供給板（１１５）はフィーダハウス（２１）の底板（２１ａ）の傾斜角（φ１）より小さな傾斜角（φ２）を有する供給面（１１５ａ）を中間に形成すると共に、供給板（１１５）の後端供給面（１１５ｂ）に若干の下り傾斜角（φ３≒５゜）を有して第１受網（３０）の入口側に連設させて、扱口（２９）での穀稈の取込性を向上させるように構成している。
【００３５】
また前記入口供給板（１１５）の上方で扱室（２６）内側に下り傾斜面（１１６ａ）を有する穀稈戻り防止板（１１６）を設けて第１扱胴（５）に取込みされなかった穀稈が扱口（２９）より前方に飛び出るのを防止するもので、戻り防止板（１１６）の扱口（２９）の供給巾と同一巾に設けると共に、傾斜面（１１６ａ）の傾斜を入口供給板（１１５）の最上部（１１５ｃ）より扱胴（５）側に向う傾斜に形成して、フィーダハウス（２１）から脱穀部（４）への穀稈の供給を確実に行わせるように構成している。
【００３６】
図１２、図１７、図１８に示す如く、前記排稈羽根（９４）（９５）の３枚のうちの１つと螺旋羽根（９２）（９３）の終端の取付位置とを一致させて、螺旋羽根（９２）（９３）から排稈羽根（９４）（９５）への排稈の連続的な流れを助長させて排稈の排出性を向上させるように構成している。
【００３７】
また前記排稈羽根（９４）（９５）は、胴部（９０）（９１）に固設するブラケット（１１７）に回動軸（１１８）及び捩りバネ（１１９）を介し略Ｌ形の基端を回動自在に取付けて、常時は羽根（９４）（９５）の平坦作用面を胴部（９０）（９１）の放射方向に立設させ、稈詰りなどの発生時にはバネ（１１９）力に抗して羽根（９４）（９５）を回転方向とは反対側に最大９０度の範囲内で傾動させて該羽根（９４）（９５）や扱胴（５）（６）の破損を防止するように構成している。
【００３８】
図１９、図２０に示す如く、前記扱胴（５）（６）の扱胴軸（２７）（２８）を左右側板（４ａ）（４ｃ）上部外側の左右補強部材（１２０）に支持するもので、該補強部材（１２０）の上面に扱胴軸（２７）（２８）が上方より挿入するＵ字形切欠（１２１）（１２２）を形成すると共に、扱胴軸（２７）（２８）を回転自在に支持するメタル軸受（１２３）（１２４）を前記補強部材（１２０）の切欠（１２１）（１２２）周辺部にボルト（１２５）を介し位置調節自在に一体固定させて、扱胴（５）（６）の支持強度の向上と扱胴（５）（６）の着脱の容易化を図るように構成している。
【００３９】
図４、図１１、図２１に示す如く、前記運転台（１６）を前回動支点である支点軸（１２６）を介して前方に回動自在に設けると共に、第１扱胴（５）の上半部を覆う側面視山形状の第１扱胴カバー（１２７）を後回動支点である支点軸（１２８）を介し後方に回動自在に設けて、扱室（２６）の内部点検や第１扱胴の外部取出しなどを容易とさせるように構成している。
【００４０】
図２２にも示す如く、前記運転台（１６）は、運転台（１６）後方の横フレーム（１０１ａ）前面に固設する左右のブラケット（１２９）に、回転軸（１３０）を介しロックレバー（１３１）と一体に左右フック（１３２）を前後方向に回転自在に取付け、運転台（１６）の後部支柱フレーム（１３３）後面に固設する左右水平支持台（１３４）の左右フックピン（１３５）に前記フック（１３２）を係合させて運転台（１６）を水平姿勢で固定する一方、運転台（１６）の後部左側方に臨ませる前記ロックレバー（１３１）を前方に回動操作するとき、フック（１３２）を係合解除させて運転台（１６）の回動を可能とさせるように構成している。
【００４１】
また前記第１扱胴カバー（１２７）は、脱穀部（４）の前側板（４ｄ）で前記フック（１３２）取付位置より若干上方に固設する左右のフック取付台（１３６）に、各回動軸（１３７）を介し左右回動自在に左右フック（１３８）を取付け、運転台（１６）の後部左側方に臨ませるロックレバー（１３９）を左フック（１３８）に固設し、左右フック（１３８）をロッド（１４０）を介し連動連結させると共に、扱胴カバー（１２７）前面の固着板（１４１）の左右フックピン（１４２）に前記フック（１３８）を係合させて、扱胴カバー（１２７）を閉固定するように構成している。
【００４２】
そして、前記運転台（１６）の前方回動操作後にあって、前記ロックレバー（１３９）を右回動操作し、フック（１３８）を係合解除させるとき、扱胴カバー（１２７）を開放自在とさせて、扱室（２６）の内部点検などの容易化を図るように構成している。
【００４３】
前記穀物タンク（８）は第２扱胴（６）の後方に配設するもので、穀物タンク（８）の安息角を有する斜面部である前底板（１４５）下方の略３角空間部（１４６）に第２扱胴（６）を配設すると共に、前記底部排出オーが（８３）を前記第２扱胴軸（２８）と略同じ高さ位置で平行にタンク（８）に設けて、余剰空間を利用した第２扱胴（６）のコンパクトな配置と、これら扱胴（６）やタンク（８）とエンジン（１２）との駆動系の簡潔化を図るように構成している。
【００４４】
さらに、前記穀物タンク（８）の後部に連設するエンジンルーム（１１）の底板（１４７）と、穀物タンク（８）の底板（１４５）を脱穀部（４）の後部天板として利用するもので、穀物タンク（８）の後底板（１４５ａ）とエンジンルーム（１１）の底板（１４７）前部間にシール部材（１４８）を介設して、穀物タンク（８）やエンジンルーム（１１）の組立にバラツキがある場合でもエンジンルーム（１１）の防塵性を確保して、脱穀部（４）内の排塵がエンジンルーム（１１）内に侵入するのを防止するように構成している。
【００４５】
前記左側板（４ａ）外側に配設する二番還元筒（４５）上端の還元口（４５ａ）は、第１及び第２扱胴（５）（６）間で揺動選別盤（７）の第１フィードパン（３２）上方に臨ませて、漏下の多い第１扱胴（５）より後方に還元して一番コンベア（４４）に有効に回収するように構成している。
【００４６】
図１９、図２３にも示す如く、脱穀部（４）上側の左右側板（４ａ）（４ｃ）上端に連結する左右の補強部材（１２０）と、該補強部材（１２０）の前後端間を連結する前後の横補強部材（１０１ｄ）（１０２ｂ）とで平面視四角形状の補強枠（１４９）を形成して、左右側板（４ａ）（４ｃ）の強度剛性の向上や、扱胴（５）（６）の支持強度の向上を図るように構成している。
【００４７】
また、前記横補強部材（１０１ｄ）（１０２ｂ）に前後横フレーム（１０１ａ）（１０１ｂ）をそれぞれ一体的に連結させると共に、左右の補強部材（１２０）間に中央仕切フレーム（１０１ｃ）を横架させて、前記補強枠（１４９）の一層の剛性向上を図ると共に、後横フレーム（１０１ｂ）上の左右両端及び中央の３箇所に略Ｌ形状のタンク受け板（１５０）を固設して、前記穀物タンク（８）の前底板（１４５）に固設するタンク取付台（１５１）をタンク受け板（１５０）上面に係合保持させ、受け板（１５０）取付台（１５１）をボルト（１５１ａ）を介し取外し自在に固定させて、穀物タンク（８）の支持部材として後横フレーム（１０１ｂ）を有効に活用するように構成している。
【００４８】
また図１３にも示す如く、前記排出オーガ（８３）下方の穀物タンク（８）の底板（１４５）を開閉自在な底板である底蓋（１５２）に設けるもので、タンク（８）と略一定の横巾を底蓋（１５２）は有し、タンク底板（１４５）の前回動支点軸（１５３）に逆山形状の底蓋（１５２）前端側を回動自在に固定させると共に、タンク後底板（１４５ａ）の後固定台（１５４）にボルト（１５５）を介し底蓋（１５２）の後端側を開放自在に固定させて、底蓋（１５２）の開放時にタンク底部の横巾一杯に穀粒放出口（１５６）を開成して、異常による排出オーガ（８３）の駆動停止時などにタンク（８）内の穀粒排出を行うように構成している。
【００４９】
さらに、前記穀粒放出口（１５６）は二番樋（４６）上方に臨ませて、放出口（１５６）から落下するタンク（８）内の穀粒を揺動選別盤（７）を介し二番樋（４６）に回収し、二番コンベア（４７）と二番還元筒（４５）と間に介設する受継ケース（１５７）の開口部或いはケース（１５７）の取外しなどによって二番コンベア（４７）からの穀粒を機外に取出すように構成している。
【００５０】
図３、図２４、図２５にも示す如く、前記運転席（１４）はフィーダハウス（２１）の上方で本気運転台（１６）の左右略中央位置に配設させ、運転席（１４）の前方に操向ハンドル（１５）のハンドルコラム（１５８）を、また該ハンドルコラム（１５８）左側の運転席（１４）左前方位置に主変速レバー（１５９）のレバーコラム（１６０）をそれぞれ立設させ、これらコラム（１５８）（１６０）と運転席（１４）間でフィーダハウス（２１）の左右外側に正面視ハの字形に左右の作業者乗降用ステップ（１７）を配設させて、運転台（１６）の左右両側より乗降可能とさせるように構成している。
【００５１】
また、前記主変速レバー（１５９）は後方の運転席（１４）側に屈曲させて、上端ノブ部（１５９ａ）を運転席（１４）に近接させると共に、ノブ部（１５９ａ）の前面に刈取部（１８）を昇降する刈取昇降スイッチ（１６１）を設けると共に、ノブ部（１５９ａ）の右側面に刈取部（１８）を自動的に一定高さまで上昇及び下降操作するオートリフト及びオートセットスイッチ（１６２）（１６３）を設けて、運転席（１４）位置から主変速レバー（１５９）や各スイッチ（１６１）（１６２）（１６３）の操作を容易に可能とさせるように構成している。
【００５２】
また運転席（１４）左右両側で運転席（１４）より後方に左右のサイドコラム（１６４）（１６５）を配設し、左サイドコラム（１６４）に副変速レバー（１６６）を設けると共に、右サイドコラム（１６５）に刈取及び脱穀クラッチレバー（１６７）（１６８）などを配設させている。
【００５３】
さらに、車速や各種作業状態を表示する計器パネル（１６９）を運転席（１４）の右前方に配設するもので、サンバイザー（１７０）の前側を支持する運転台（１６）の左右支持フレーム（１７１ａ）（１７１ｂ）のうち右支持フレーム（１７１ｂ）に、取付部材（１７２）を介し運転席（１４）の作業者の視線高さ位置で計器パネル（１６９）のパネル面（１６９）を運転席（１４）側に向け配置させ、計器パネル（１６９）の下方に前方確認用の目視空間域（１７３）を形成させて、計器パネル（１６９）に視界を遮られることなく、目視空間域（１７３）を通して刈取部（１８）前側の分草板や刈刃（２３）の確認などが容易に行えるように構成している。
【００５４】
また、前記左右支持フレーム（１７１ａ）（１７１ｂ）の基端外側にコ形状の左右ガードフレーム（１７４）を固設すると共に、該フレーム（１７４）外側上方に取付フレーム（１７５）を介してバックミラー（１７６）を設置している。
【００５５】
図２７にも示す如く、前記計器パネル（１６９）は右支持フレーム（１７１ｂ）に調節ボルト（１７７）を介し取付高さ調節自在にパネルブラケット（１７８）を固定させると共に、回動支点ボルト（１７９）を介し左右回動自在にパネル（１６９）背面側の固定片（１８０）を前記ブラケット（１７８）に固定させて、計器パネル（１６９）を取付高さ及び取付角度調節自在に右支持フレーム（１７１ｂ）に支持するように構成している。
【００５６】
本実施例は上記の如く構成するものにして、穀稈脱穀用の２つのスクリュ形第１及び第２扱胴（５）（６）を脱穀部（４）に備えた普通形コンバインにおいて、脱穀部（４）の左右側板（４ａ）・（４ｂ）（４ｃ）間を前後で連結する前後の横補強部材（１０１ａ）（１０１ｄ）・（１０１ｂ）（１０２ｂ）と、前後の補強部材（１０１ｄ）（１０２ｂ）間を左右両側で連結する左右の縦補強部材（１２０）とで、脱穀部の四角補強枠（１４９）を形成したことによって、脱穀側板（４ａ）・（４ｂ）（４ｃ）を含む脱穀部（４）全体の強度剛性を有効に向上させることができる。
【００５７】
また、左右の縦補強部材（１２０）に第１及び第２扱胴（５）（６）の扱胴軸（２７）（２８）を支持させたことによって、第１及び第２扱胴（５）（６）の支持強度の向上と、脱穀側板（４ａ）・（４ｂ）（４ｃ）を含む脱穀部（４）全体の強度剛性の向上を有効に図ることができる。
【００５８】
さらに、脱穀部（４）の後側に一体形成する穀物タンク（８）の支持部材として後の横補強部材（１０１ｂ）を用いたことによって、穀物タンク（８）の支持部材と脱穀部（４）の補強部材の両方に後の補強部材（１０１ｂ）を有効利用して、脱穀部（４）全体の強度剛性を向上させることができる。
【００５９】
またさらに、穀稈脱穀用の２つのスクリュ形第１及び第２扱胴（５）（６）を脱穀部（４）に備えた普通形コンバインにおいて、脱穀部（４）の後側に穀物タンク（８）及びエンジンルーム（１１）を一体形成すると共に、第２扱胴（６）後方の排稈口（４８）の天板部を穀物タンク（８）及びエンジンルーム（１１）の底板（１４５）（１４７）で形成したことによって、第２扱胴（６）後方の排稈口（４８）の天板構成を、部品点数を減少させ且つ重量を軽減させた簡単なものとさせることができる。
【００６０】
また、穀物タンク（８）の底板（１５２）を開放可能に設けたことによって、穀物タンク（８）の穀物排出オーガ（８３）など搬送系に異常が発生してこの駆動が停止した場合にも、底板（１５２）を開放して穀物タンク（８）内の穀物を容易に取出し可能とさせることができる。
【００６１】
さらに、脱穀部（４）の二番樋（４６）上方に穀物タンク（８）の底板開放口（１５６）を臨ませたことによって、穀物タンク（８）の底板開放口（１５６）から放出される穀物を二番コンベア（４７）で回収し、二番コンベア（４７）の受継ケース（１５７）部より機外に容易に取出し可能とさせて、穀物回収作業の能率向上化を図ることができる。
【００６２】
またさらに、本機前方にフィーダハウス（２１）を介し刈取部（１８）を昇降自在に装備する普通形コンバインにおいて、フィーダハウス（２１）上方の本機左右略中央に運転席（１４）を配設したことによって、本機構成の簡素化を図ると共に、運転席（１４）に対する本機左右両側よりの作業者の容易な乗降を可能とさせて作業性を向上させることができる。
【００６３】
また、フィーダハウス（２１）の左右外側に乗降用ステップ（１７）を配備させたことによって、フィーダハウス（２１）左右両側の余剰空間にコンパクトにステップ（１７）を配設可能とさせて、本機構成の簡素化を図ることができる。
【００６４】
さらに、主変速レバー（１５９）の操作コラム（１６０）を運転席（１４）の左前方に配設すると共に、主変速レバー（１５９）上端の操作部を後方に屈曲させたことによって、運転席位置で前傾姿勢の作業者に対して、主変速レバー（１５９）の容易にして確実な操作を可能とさせて、この操作性を向上させることができる。
【００６５】
またさらに、刈取部（１８）を昇降操作する刈取昇降スイッチ（１６１）を主変速レバー（１５９）の操作部に設けたことによって、主変速レバー（１５９）を操作しながらの刈取昇降スイッチ（１６１）による刈取部（１８）の確実な昇降操作を可能とさせて、刈取作業性を向上させることができる。
【００６６】
また、計器パネル（１６９）を運転席（１４）の右前方に配設すると共に、運転席（１４）から刈取部前側の目視可能な目視空間域（１７３）を、計器パネル（１６９）の下方に形成したことによって、運転席（１４）の右前方に計器パネル（１６９）を設置した場合でも、運転席（１４）から分草板や刈刃（２３）など刈取部（８）前側の作業状況を常に正確に確認しながらの運転作業を可能とさせて、作業性を向上させることができる。
【００６７】
さらに、計器パネル（１６９）を取付角度及び取付高さ調節自在に配設したことによって、運転席（１４）の作業者に適正に対応させた位置に計器パネル（１６９）を常に配置させて、計器パネル（１６９）で確認しながらの正確な刈取作業を可能とさせることができる。
【００６８】
またさらに、運転席（１４）の後部下方に脱穀部（４）の扱胴（５）を配備させたことによって、フィーダハウス（２１）と扱胴（５）の穀物受継部上方に運転席（１４）を構成コンパクトに配備させて、本機構成の簡素化を図ることができる。
【００６９】
【発明の効果】
以上実施例から明らかなように本発明は、本機前方にフィーダハウス（２１）を介し刈取部（１８）を昇降自在に装備する普通形コンバインにおいて、フィーダハウス（２１）上方の本機左右略中央に運転席（１４）を配設したものであるから、本機構成の簡素化を図ると共に、運転席（１４）に対する本機左右両側よりの作業者の容易な乗降を可能とさせて作業性を向上させることができるものである。
【００７０】
また、フィーダハウス（２１）の左右外側に乗降用ステップ（１７）を配備させたものであるから、フィーダハウス（２１）左右両側の余剰空間にコンパクトにステップ（１７）を配設可能とさせて、本機構成の簡素化を図ることができるものである。
【００７１】
さらに、主変速レバー（１５９）の操作コラム（１６０）を運転席（１４）の左前方に配設すると共に、主変速レバー（１５９）上端の操作部を後方に屈曲させたものであるから、運転席位置で前傾姿勢の作業者に対して、主変速レバー（１５９）の容易にして確実な操作を可能とさせて、この操作性を向上させることができるものである。
【００７２】
またさらに、刈取部（１８）を昇降操作する刈取昇降スイッチ（１６１）を主変速レバー（１５９）の操作部に設けたものであるから、主変速レバー（１５９）を操作しながらの刈取昇降スイッチ（１６１）による刈取部（１８）の確実な昇降操作を可能とさせて、刈取作業性を向上させることができるものである。
【００７３】
また、計器パネル（１６９）を運転席（１４）の右前方に配設すると共に、運転席（１４）から刈取部前側の目視可能な目視空間域（１７３）を、計器パネル（１６９）の下方に形成したものであるから、運転席（１４）の右前方に計器パネル（１６９）を設置した場合でも、運転席（１４）から分草板や刈刃（２３）など刈取部（１８）前側の作業状況を常に正確に確認しながらの運転作業を可能とさせて作業性を向上させることができるものである。
【００７４】
さらに、計器パネル（１６９）を取付角度及び取付高さ調節自在に配設したものであるから、運転席（１４）の作業者に適正に対応させた位置に計器パネル（１６９）を常に配置させて、計器パネル（１６９）で確認しながらの正確な刈取作業を可能とさせることができるものである。
【００７５】
またさらに、運転席（１４）の後部下方に脱穀部（４）の扱胴（５）を配備させたものであるから、フィーダハウス（２１）と扱胴（５）の穀物受継部上方に運転席（１４）を構成コンパクトに配備させて、本機構成の簡素化を図ることができるものである。
【図面の簡単な説明】
【図１】コンバインの全体側面図である。
【図２】コンバインの全体平面図である。
【図３】コンバインの全体正面図である。
【図４】脱穀部の断面側面図である。
【図５】脱穀部の断面平面図である。
【図６】脱穀部の断面正面図である。
【図７】脱穀駆動系の左側面説明図である。
【図８】脱穀駆動系の右側面説明図である。
【図９】全駆動系の説明図である。
【図１０】扱胴部の平面説明図である。
【図１１】扱胴部の側面説明図である。
【図１２】連通樋部の側面説明図である。
【図１３】第２扱胴部の側面説明図である。
【図１４】第２扱胴部の背面説明図である。
【図１５】第１扱胴部の正面説明図である。
【図１６】扱口部の側面説明図である。
【図１７】扱胴の展開説明図である。
【図１８】排稈羽根部の説明図である。
【図１９】左側板部の側面説明図である。
【図２０】扱胴の軸受部の説明図である。
【図２１】運転操作部の側面説明図である。
【図２２】ロック部の正面説明図である。
【図２３】補強枠の平面説明図である。
【図２４】運転操作部の側面説明図である。
【図２５】運転操作部の正面説明図である。
【図２６】主変速レバーの説明図である。
【図２７】計器パネルの取付説明図である。
【符号の説明】
（４）    脱穀部
（５）    扱胴
（１４）  運転席
（１７）  乗降用ステップ
（１８）  刈取部
（２１）  フィーダハウス
（１５９）  主変速レバー
（１６０）  コラム
（１６１）  刈取昇降スイッチ
（１６９）  計器パネル
【図１】
0003824195.tif 000002
【図２】
0003824195.tif 000003
【図３】
0003824195.tif 000004
【図４】
0003824195.tif 000005
【図５】
0003824195.tif 000006
【図６】
0003824195.tif 000007
【図７】
0003824195.tif 000008
【図８】
0003824195.tif 000009
【図９】
0003824195.tif 000010
【図１０】
0003824195.tif 000011
【図１１】
0003824195.tif 000012
【図１２】
0003824195.tif 000013
【図１３】
0003824195.tif 000014
【図１４】
0003824195.tif 000015
【図１５】
0003824195.tif 000016
【図１６】
0003824195.tif 000017
【図１７】
0003824195.tif 000018
【図１８】
0003824195.tif 000019
【図１９】
0003824195.tif 000020
【図２０】
0003824195.tif 000021
【図２１】
0003824195.tif 000022
【図２２】
0003824195.tif 000023
【図２３】
0003824195.tif 000024
【図２４】
0003824195.tif 000025
【図２５】
0003824195.tif 000026
【図２６】
0003824195.tif 000027
【図２７】
0003824195.tif 000028